【手続補正書】
【提出日】平成18年3月8日(2006.3.8)
【手続補正１】
【補正対象書類名】明細書
【補正対象項目名】特許請求の範囲
【補正方法】変更
【補正の内容】
【特許請求の範囲】
【請求項１】
送信データに応じて変調された複数のサブキャリアを持つマルチキャリア変調信号を送信する送信装置であって、
上記送信データの属性に応じて、伝送路の推定方法を選択する伝送路推定方法選択回路と、
上記送信データに基づき、設定された変調方式に応じて上記複数のサブキャリアに対して信号点配置を行うマッピング回路と、
上記マッピング回路の出力信号に対し、上記選択された伝送路推定方法に応じて、伝送路推定のための信号処理を行う伝送路推定処理回路と、
上記伝送路推定処理回路の出力信号を直交変換する直交変換回路と
を有する送信装置。
【請求項２】
上記伝送路推定方法選択回路は、上記送信データの容量、上記送信データの重要度、送信チャネルの状況、または、送信が失敗したとき上記送信データの再送の可否のうちいずれか一以上に応じて、上記伝送路推定方法を選択する
請求項１記載の送信装置。
【請求項３】
上記伝送路推定処理回路は、上記マッピング回路の出力信号に対して、差動変調を行う差動変調回路を有する
請求項１記載の送信装置。
【請求項４】
上記差動変調回路は、時間軸上又は／及び周波数軸上隣接する送信信号をリファレンスとして、送信信号とリファレンスとの位相差に応じた変調信号を出力する
請求項３記載の送信装置。
【請求項５】
上記伝送路推定処理回路は、上記マッピング回路によって出力された送信信号に対して、伝送路推定用パイロット信号を付加するパイロット付加回路を有する
請求項１記載の送信装置。
【請求項６】
上記パイロット付加回路は、送信開始時から一定の比率で上記送信信号に上記パイロット信号を付加する
請求項５記載の送信装置。
【請求項７】
上記パイロット付加回路は、送信開始した後変調時間毎に付加する上記パイロット信号の数を低減させる
請求項５記載の送信装置。
【請求項８】
上記パイロット付加回路は、送信開始後所定の時間を経過したとき、上記送信信号に付加する上記パイロット信号の比率を一定に保持させる
請求項５記載の送信装置。
【請求項９】
上記パイロット付加回路は、送信開始後所定の時間を経過したとき、上記パイロット信号の付加を停止させる
請求項５記載の送信装置。
【請求項１０】
送信装置によって所定の伝送路推定処理が実施されたマルチキャリア変調信号を受信する受信装置であって、
受信信号を直交変換する直交変換回路と、
上記直交変換回路の出力信号に基づき、上記送信装置によって行われる伝送路推定の処理に応じて伝送路の特性を推定する伝送路推定回路と、
上記伝送路推定回路の推定結果に応じて、上記受信信号に対して補正を行い、受信データを出力するデータ出力回路と
を有する受信装置。
【請求項１１】
上記伝送路推定回路は、上記送信装置によって差動変調が行われた場合、所定の時刻の上記直交変換回路の出力信号をリファレンス信号として、上記直交変換回路の出力信号に対して差動復調する差動復調回路と、
上記送信装置によって送信データにパイロット信号が付加された場合、上記直交変換回路の出力信号から上記パイロット信号を抽出して、抽出したパイロット信号に応じて伝送路の特性を推定する伝送路同化回路と
を有する請求項１０記載の受信装置。
【請求項１２】
上記差動復調回路は、上記直交変換回路の出力信号を記憶する記憶回路と、
送信装置における差動変調の変調方式に応じて、上記記憶した信号のうち、所定の記憶信号をリファレンスとして上記直交変換回路の出力信号に対して位相補正を行う位相補正回路と
を有する請求項１１記載の受信装置。
【請求項１３】
上記伝送路同化回路は、上記直交変換回路の出力信号から上記パイロット信号を抽出するパイロット抽出回路と、
上記抽出したパイロット信号をそれぞれの周波数帯域に応じて設けられたグループに分割され、各グループのパイロット信号と隣接するグループからの少なくとも一つのパイロット信号との加算を行う第１の加算回路と、
時間軸上隣接する前の変調時間におけるパイロット信号の加算結果に所定の係数を乗算する乗算回路と、
現時点の加算回路の加算結果と上記乗算回路の出力信号とを加算する第２の加算回路と
を有する請求項１１記載の受信装置。
【請求項１４】
上記データ出力回路は、信号の変調方式に応じて上記受信信号に基づき、所定のビット数の受信データを出力する
請求項１０記載の受信装置。
【請求項１５】
送信データに応じて生成したマルチキャリア変調信号を送受信する通信システムであって、
上記送信データの属性に応じて、伝送路の推定方法を選択する伝送路推定方法選択回路と、
複数のサブキャリアをそれぞれ設定された変調方式に応じて、上記送信データに基づき信号点配置を行うマッピング回路と、
上記マッピング回路の出力信号に対し、上記選択された伝送路推定方法に応じて、伝送路推定のための信号処理を行う伝送路推定処理回路と、
上記伝送路推定処理回路の出力信号を直交変換する第１の直交変換回路と、
上記直交変換回路の出力信号を伝送路に送信する送信回路と、
上記伝送路から伝送信号を受信する受信回路と、
上記受信回路の出力信号を直交変換する第２の直交変換回路と、
上記直交変換回路の出力信号に基づき、上記伝送路推定処理回路によって行われる伝送路推定の処理に基づき伝送路の特性を推定する伝送路推定回路と、
上記伝送路推定回路の推定の結果に応じて、上記受信信号に対して補正を行い、所定の受信データを出力するデータ出力回路と
を有する通信システム。
【請求項１６】
送信データに応じて変調された複数のサブキャリアを持つマルチキャリア変調信号を送信する送信方法であって、
上記送信データの属性に応じて、伝送路の推定方法を選択し、
上記送信データに基づき、設定された変調方式に応じて上記サブキャリアに対して信号点配置を行うマッピング処理を行い、
上記マッピング処理された送信信号に対して上記選択された伝送路推定方法に応じて、伝送路推定のための信号処理を行い、
上記伝送路推定処理された上記送信データを直交変換する
送信方法。
【請求項１７】
送信装置によって所定の伝送路推定処理が実施されたマルチキャリア変調信号を受信する受信方法であって、
受信信号を直交変換し、
上記直交変換された受信信号に基づき、伝送路推定処理を行い、
上記伝送路推定の結果に応じて、上記受信信号に対して補正を行い、受信データを出力する
受信方法。
【請求項１８】
送信データに応じて生成したマルチキャリア変調信号を送受信する通信方法であって、
上記送信データの属性に応じて伝送路の推定方法を選択し、
複数のサブキャリアに対してそれぞれ設定された変調方式で上記送信データに基づき信号点配置を行うマッピング処理を行い、
上記マッピング処理された上記送信信号に対して、上記選択された伝送路推定方法に応じて、伝送路推定のための信号処理を行い、
上記伝送路推定処理された信号を直交変換し、
上記直交変換した信号を伝送路に送信し、
上記伝送路から伝送信号を受信し、
上記受信信号を直交変換し、
上記直交変換した信号に基づき、上記伝送路の特性を推定し、
上記伝送路推定の結果に応じて、上記受信信号に対して補正を行い、所定の受信データを出力する
通信方法。
【手続補正２】
【補正対象書類名】明細書
【補正対象項目名】００２４
【補正方法】削除
【補正の内容】
【手続補正３】
【補正対象書類名】明細書
【補正対象項目名】００２５
【補正方法】削除
【補正の内容】
【手続補正４】
【補正対象書類名】明細書
【補正対象項目名】００２６
【補正方法】削除
【補正の内容】
【手続補正５】
【補正対象書類名】明細書
【補正対象項目名】００２７
【補正方法】削除
【補正の内容】
【手続補正６】
【補正対象書類名】明細書
【補正対象項目名】００２８
【補正方法】削除
【補正の内容】
【手続補正７】
【補正対象書類名】明細書
【補正対象項目名】００３２
【補正方法】削除
【補正の内容】
【手続補正８】
【補正対象書類名】明細書
【補正対象項目名】００３３
【補正方法】削除
【補正の内容】
【手続補正９】
【補正対象書類名】明細書
【補正対象項目名】００３４
【補正方法】削除
【補正の内容】
【手続補正１０】
【補正対象書類名】明細書
【補正対象項目名】００３５
【補正方法】削除
【補正の内容】